(57)【要約】【課題】電子ビームが高電流域の場合には電子ビームのスポット径を縮小し、かつ電子ビームが低電流域の場合にはモアレを抑制し得る陰極線管用電子銃およびそれを備えたカラー陰極線管を提供する。【解決手段】電子ビームの電流が低電流域の場合には、電子ビーム通過孔１５の第３電極１４側近傍において、垂直方向における電子ビームの最外部が受ける最大の集束作用は、水平方向における電子ビームの最外部が受ける最大の集束作用よりも弱く、電子ビームの電流が高電流域の場合には、第２電極１３の電子ビーム通過孔１７内と、第２電極１３および第３電極１４間とにおいて、水平方向における電子ビームの最外部が受ける最大の集束作用と垂直方向における電子ビームの最外部が受ける最大の集束作用とが略同等となる。【選択図】  図２
2006049285.tif 000002
【特許請求の範囲】
【請求項１】
カソード、第１電極および第２電極が順次並んで形成された３極部と、前記３極部から放出される電子ビームを蛍光体スクリーンに向けて加速および集束する、少なくとも第３電極を含む主レンズ部とを備えた、インライン型の陰極線管用電子銃であって、
前記第２電極には、電子ビーム通過孔が形成されていて、
前記電子ビームの電流が０．１ｍＡ以下の場合には、前記第２電極の電子ビーム通過孔の前記第３電極側近傍において、インライン方向と垂直であり、かつ前記電子ビームの進行方向と垂直である方向における電子ビームの最外部が受ける最大の集束作用は、インライン方向における電子ビームの最外部が受ける最大の集束作用よりも弱く、
前記電子ビームの電流が２ｍＡ以上の場合には、前記第２電極の電子ビーム通過孔の前記第３電極側近傍において、インライン方向における前記電子ビームの最外部が受ける最大の集束作用と、インライン方向と垂直であり、かつ前記電子ビームの進行方向と垂直である方向における前記電子ビームの最外部が受ける最大の集束作用とが略同等となることを特徴とする陰極線管用電子銃。
【請求項２】
カソード、第１電極および第２電極が順次並んで形成された３極部と、前記３極部から放出される電子ビームを蛍光体スクリーンに向けて加速および集束する、少なくとも第３電極を含む主レンズ部とを備えた、インライン型の陰極線管用電子銃であって、
前記第２電極には、電子ビーム通過孔が形成されていて、
前記第２電極の電子ビーム通過孔の前記第３電極側近傍において、インライン方向における前記電子ビームの最外部の加速度のうち、前記電子ビームの中心軸に対して垂直であり、かつ前記電子ビームの中心軸に向かう加速度成分の極大値をＡｘとし、
前記第２電極の電子ビーム通過孔の前記第３電極側近傍において、インライン方向と垂直であり、かつ前記電子ビームの進行方向と垂直である方向における前記電子ビームの最外部の加速度のうち、前記電子ビームの中心軸に対して垂直であり、かつ前記電子ビームの中心軸に向かう加速度成分の極大値をＡｙとした場合に以下の式を満たすことを特徴とする陰極線管用電子銃。
前記電子ビームの電流が０．１ｍＡ以下の場合には、
Ａｙ＞０
Ａｘ＞０
Ａｙ／Ａｘ＜１．０
であり、
前記電子ビームの電流が２ｍＡ以上の場合には、
Ａｙ＞０
Ａｘ＞０
０．９＜Ａｙ／Ａｘ
である。
【請求項３】
前記第１電極には、インライン方向と垂直な辺および平行な辺を有する略矩形状である電子ビーム通過孔が形成され、
前記第２電極の電子ビーム通過孔は略円形状であり、
前記第２電極の前記第３電極側の面には、前記第２電極の電子ビーム通過孔の周囲に、インライン方向と垂直な辺および平行な辺を有し、インライン方向と垂直な辺がインライン方向と平行な辺よりも長い略矩形状の溝である凹部が形成されている請求項１または請求項２に記載の陰極線管用電子銃。
【請求項４】
前記第１電極の電子ビーム通過孔のインライン方向の径をｈ1とし、前記第１電極の電子ビーム通過孔のインライン方向と垂直方向の径をｖ1とし、
前記第２電極の電子ビーム通過孔の孔径をｒ2とし、
前記第２電極の凹部の深さをｔ23とし、前記第２電極の凹部のインライン方向の径をｈ23とし、
前記第１電極と前記第２電極との相対する面同士の間隔をｇ12とし、
前記第２電極と前記第３電極との相対する面同士の間隔をｇ23とした場合に、以下の式を満たす請求項３に記載の陰極線管用電子銃。
１．０＜ｈ1／ｖ1＜１．５
０．２＜ｇ12／ｒ2＜０．４
０．１＜（ｈ23−ｒ2）／ｔ23＜５
０．９＜ｇ23／ｒ2＜１．８
【請求項５】
前記第１電極の前記第２電極側の面には、前記第１電極の電子ビーム通過孔の周囲に、インライン方向と垂直な辺および平行な辺を有し、インライン方向と垂直な辺がインライン方向と平行な辺よりも長い略矩形状の溝である凹部が形成されている請求項４に記載の陰極線管用電子銃。
【請求項６】
前記第１電極の凹部のインライン方向の径をｈ12とし、前記第１電極の凹部のインライン方向と垂直方向の径をｖ12とした場合に、以下の式を満たす請求項５に記載の陰極線管用電子銃。
０.１（ｍｍ）＜（ｈ12−ｈ1）（ｍｍ）＜１．５（ｍｍ）
０.１（ｍｍ）＜（ｖ12−ｖ1）（ｍｍ）＜１．５（ｍｍ）
【請求項７】
前記第３電極には略円形状である電子ビーム通過孔が形成され、
前記第３電極の前記第２電極側の面には、前記第３電極の電子ビーム通過孔の周囲に、インライン方向と垂直な辺および平行な辺を有し、インライン方向と垂直な辺がインライン方向と平行な辺よりも長い略矩形状の溝である凹部とが形成されていて、
前記第３電極の電子ビーム通過孔の孔径をｒ3とし、前記第３電極の凹部の深さをｔ32とし、前記第３電極の凹部のインライン方向の径をｈ32とした場合に、以下の式を満たす請求項４ないし請求項６のいずれかに記載の陰極線管用電子銃。
１．０＜ｒ3／ｒ2＜２．０
（ｈ32−ｒ3）／ｔ32＜４．０
【請求項８】
請求項１ないし請求項７のいずれかに記載の陰極線管用電子銃を備えたカラー陰極線管。
【発明の詳細な説明】
【技術分野】
【０００１】
本発明は陰極線管用の電子銃およびそれを備えたカラー陰極線管に関するものである。
【背景技術】
【０００２】
カラー陰極線管を用いたテレビセットにおいては、低輝度から高輝度におけるすべての輝度領域において高い画質性能を発揮する映像特性が求められている。陰極線管において輝度の調整は、蛍光体スクリーンに入射する電子ビームの電流を調整することで行う。
【０００３】
しかし、電子ビームの電流を大きくすると、蛍光体スクリーンに入射する電子ビームのスポット径が拡大するため、解像度が低下し画質性能が劣化する。また、電子ビームの電流を小さくすると、モアレ(ラスターモアレ)が発生しやすくなり、画質性能が劣化する。なお、モアレとは、電子ビームの走査線とシャドウマスクの電子ビーム通過孔との間に発生する干渉縞である。モアレは、蛍光体スクリーン上における電子ビームのスポットの垂直径が極端に小さく(ある一定以下に)なると発生しやすくなる。
【０００４】
高電流域における電子ビームのスポット径の拡大を抑制するための方法が、例えば、特許文献１に開示されている。以下に、その方法について説明する。図１３は、従来の電子銃の断面図である。図１３において、Ｘ軸方向は水平方向であり、Ｙ軸方向は垂直方向であり、Ｚ軸方向は管軸方向である。なお、各ＸＹＺ軸の方向は、図１３以外の図においても同様である。図１３に示すように、電子銃６０は、ＲＧＢのカソード６１、第１電極６２、第２電極６３、第３電極６４および第４電極６５が、Ｚ軸方向に沿って、順次並んで配置されて構成されている。第１電極６２は接地され、第２電極６３には電圧Ｖｇ２が印加され、第３電極６４には電圧Ｖｆが印加され、第４電極６５には電圧Ｖａが印加されている。カソード６１、第１電極６２および第２電極６３は電子ビーム発生部を構成し、第３電極６４および第４電極６５は主レンズ部を構成している。
【０００５】
図１４および図１５は、従来の電子銃の各電極と電子ビームの関係を示すための第１および第２の模式図である。図１４に示した電子銃６０ａおよび図１５に示した電子銃６０ｂは図１３に示した電子銃６０を簡略化して示したもので、特に、第３電極６４の一部および第４電極６５は省略している。また、図１４および図１５は垂直面での断面である。なお、図１４および図１５は、ＲＧＢのカソード６１の内、真中に配置されるカソード６１を示しているので、電子ビームの進行方向を表す中心軸６９は、Ｚ軸（管軸）と等しくなる。
【０００６】
図１４および図１５に示す電子銃６０ａおよび６０ｂにおいては、第２電極６３と第３電極６４とにより、プリフォーカスレンズ６６が形成される。図１４および図１５に示すように、プリフォーカスレンズ６６は、集束レンズ６６ａおよび発散レンズ６６ｂからなり、集束レンズ６６ａが第２電極６３側に、発散レンズ６６ｂが第３電極６４側に形成されている。
【０００７】
図１５に示した電子銃６０ｂは、図１４に示した電子銃６０ａに比べ、プリフォーカスレンズ６６の集束作用および発散作用が強い構造である。プリフォーカスレンズの集束作用および発散作用を強くするには、例えば、第２電極６３に印加された電圧と第３電極６４に印加された電圧との差を大きくすればよい。
【０００８】
したがって、図１５の電子銃６０ｂは、プリフォーカスレンズ６６の集束作用および発散作用が強い構造であるため、第２電極６３の電子ビーム通過孔６３ａ付近に形成される強い集束レンズ６６ａと、第３電極６４の電子ビーム通過孔６４ａ付近に形成される強い発散レンズ６６ｂとが近接する。
【０００９】
電子ビーム発生部（カソード６１、第１電極６２および第２電極６３）から出射された電子ビームは、プリフォーカスレンズ６６で集束作用および発散作用を受ける。図１４に示した電子銃６０ａでは、プリフォーカスレンズ６６の集束作用および発散作用が弱いため、カソード６１の中心近くから出射される電子ビーム６８ａおよび６８ｂと、カソード６１の最外部から出射される電子ビーム６７ａおよび６７ｂとは集束作用および発散作用を受けにくい。しかし、図１５に示した電子銃６０ｂでは、カソード６１の中心近くから出射される電子ビーム６８ａおよび６８ｂは集束作用および発散作用を受けにくいが、カソード６１の最外部から出射される電子ビーム６７ａおよび６７ｂは、プリフォーカスレンズ６６で強い集束作用と強い発散作用を受ける。そのために、蛍光体スクリーンにおける電子ビームのスポット径が縮小される。このように、プリフォーカスレンズ６６の集束作用および発散作用が強められると、電子ビームのスポット径が縮小される。
【００１０】
また、プリフォーカスレンズ６６の集束作用および発散作用を強めるためには、上述の方法以外に第２電極６３と第３電極６４との間隔を狭くしてもよい。これにより、プリフォーカスレンズ６６の集束作用と発散作用が強くなる。
【００１１】
次に、モアレを防ぐ方法について説明する。モアレは走査線間隔とシャドウマスクの電子ビーム通過孔同士の垂直方向間隔に依存して発生する。電子ビームの物点径が小さくなると走査線が細くなるため、電子ビームは電子ビーム通過孔との干渉を起こし、モアレを生じやすい。つまり、モアレの発生は、電子ビームの蛍光体スクリーン到達時の垂直径に依存する。電子ビームの蛍光体スクリーンでの垂直径がある一定値(通常０.６ｍｍ程度)以下になると、垂直方向に隣り合う走査線間に隙間ができる。そのため、シャドウマスクの規則的に並んだ電子ビーム通過孔と走査線が干渉を起こしてモアレが発生しやすくなる。このモアレは電子ビームの電流が０．１ｍＡ以下である低電流域において顕著に現れる。これは、低電流により、垂直方向の物点径(仮想物点径)が縮小するため、電子ビームのスポット径が小さくなるためである。また、蛍光体スクリーン周辺においては、蛍光体スクリーン中央に比べて、電子ビームのスポットの垂直径が小さくなる。
【００１２】
図１６および図１７は、従来の陰極線管による電子ビームが低電流の場合のフォーカス電圧と蛍光体スクリーンでの電子ビームの垂直径との関係を示す第１および第２の関係図である。図１６および図１７において、実線はフォーカス電圧と蛍光体スクリーン中央での電子ビームの垂直径との関係を示し、破線はフォーカス電圧と蛍光体スクリーン周辺での電子ビームの垂直径との関係を示す。図１６および図１７は、どちらも電子ビームが低電流域の場合である。
【００１３】
電子ビームを走査偏向させる磁界は、蛍光体スクリーン周辺では電子ビームの進行方向の垂直方向に対して集束作用を及ぼす。そのため、蛍光体スクリーン周辺におけるジャストフォーカス電圧は、蛍光体スクリーン中央におけるジャストフォーカス電圧よりも高く、かつジャストフォーカス時の電子ビームのスポット径は蛍光体スクリーン周辺の方が蛍光体スクリーン中央よりも小さくなる傾向がある。ここで、ジャストフォーカスとは、電子ビームのスポット径が極小値となる状態であり、このときのフォーカス電圧をジャストフォーカス電圧という。
【００１４】
図１６および図１７に示している、カラー陰極線管装置におけるフォーカス電圧の設定範囲７１は、通常、電子ビームの電流値が１〜４ｍＡの中・高電流域におけるフォーカス状態が最良となる範囲に設定されている。図１６および図１７中に記載された横線７２は、モアレ発生の限界値を示しており、電子ビームのスポットの垂直径が横線７２で示した値以下になるとき、モアレが発生しやすくなる。図１６においては、フォーカス電圧の設定範囲７１内において、電子ビームの垂直径の値が、横線７２の値以下になっている。すなわち、図１６に示した低電流域の状態ではモアレが発生する。
【００１５】
そこで、図１７に示すように、フォーカス電圧の設定範囲７１において、低電流域における電子ビームの垂直径が横線７２よりも大きくなるように設定すれば、モアレが生じることがない。そのためには、低電流域の電子ビームのスポット径が大きくなるようにし、かつフォーカス電圧の設定範囲７１を高電流域のフォーカス電圧よりも高くなるように設定すればよい。上記のような特性は、画面走査に同期して変化する電圧で４極レンズを発生させ偏向収差を補償するダイナミックフォーカスタイプ電子銃やフォーカス電圧が固定の非ダイナミックタイプ電子銃に共通している。
【００１６】
一方、従来の電子銃においては、所望の電界分布を形成するために、例えば各電極の電子ビーム通過孔の形状を規定している（例えば、特許文献２、特許文献３参照および特許文献４参照）。
【特許文献１】特開昭５９−１４８２４２号公報
【特許文献２】特開平０１−１８７７４４号公報
【特許文献３】特開平０８−１０６８６２号公報
【特許文献４】特開２００１−３３２１８４号公報
【発明の開示】
【発明が解決しようとする課題】
【００１７】
高電流域のフォーカス性能を改善するためにプリフォーカスレンズを強くしていくと、上述のように電子ビームのスポット径を縮小させ解像度を改善することができるが、低電流域においては電子ビームのスポット径が過小となりモアレが発生する。さらに、プリフォーカスレンズを強めることにより仮想物点位置は蛍光体スクリーン側に移動するが、その移動量は低電流域において顕著で、低電流域におけるジャストフォーカス電圧が低くなる。結果として低電流域におけるジャストフォーカス電圧（特に垂直方向）が、通常設定されるフォーカス電圧の設定範囲（電子ビームが中・高電流域（＝１〜４ｍＡ）より低くなり、図１６に示すような関係になる。つまり、モアレが発生しやすくなる。しかし、モアレの発生しない程度にプリフォーカスレンズを弱く設定すると、図１７に示す関係を実現できるが、高電流域での電子ビームのスポット径は拡大し、近年要求されているような高画質化（高解像度化）が困難である。
【００１８】
本発明は、上記のような従来の問題点を解決するためになされたもので、電子ビームが高電流域の場合には電子ビームのスポット径を縮小し、かつ電子ビームが低電流域の場合にはモアレを抑制し得る陰極線管用電子銃およびそれを備えたカラー陰極線管を提供することを目的とする。
【課題を解決するための手段】
【００１９】
本発明の第１の陰極線管用電子銃は、カソード、第１電極および第２電極が順次並んで形成された３極部と、前記３極部から放出される電子ビームを蛍光体スクリーンに向けて加速および集束する、少なくとも第３電極を含む主レンズ部とを備えた、インライン型の陰極線管用電子銃であって、前記第２電極には、電子ビーム通過孔が形成されていて、前記電子ビームの電流が０．１ｍＡ以下の場合には、前記第２電極の電子ビーム通過孔の前記第３電極側近傍において、インライン方向と垂直であり、かつ前記電子ビームの進行方向と垂直である方向における電子ビームの最外部が受ける最大の集束作用は、インライン方向における電子ビームの最外部が受ける最大の集束作用よりも弱く、前記電子ビームの電流が２ｍＡ以上の場合には、前記第２電極の電子ビーム通過孔の前記第３電極側近傍において、インライン方向における前記電子ビームの最外部が受ける最大の集束作用と、インライン方向と垂直であり、かつ前記電子ビームの進行方向と垂直である方向における前記電子ビームの最外部が受ける最大の集束作用とが略同等となることを特徴とする。なお、電子ビームの進行方向は、管軸方向と同一方向である。
【００２０】
また、本発明の第２の陰極線管用電子銃は、カソード、第１電極および第２電極が順次並んで形成された３極部と、前記３極部から放出される電子ビームを蛍光体スクリーンに向けて加速および集束する、少なくとも第３電極を含む主レンズ部とを備えた、インライン型の陰極線管用電子銃であって、前記第２電極には、電子ビーム通過孔が形成されていて、前記第２電極の電子ビーム通過孔の前記第３電極側近傍において、インライン方向における前記電子ビームの最外部の加速度のうち、前記電子ビームの中心軸に対して垂直であり、かつ前記電子ビームの中心軸に向かう加速度成分の極大値をＡｘとし、前記第２電極の電子ビーム通過孔の前記第３電極側近傍において、インライン方向と垂直であり、かつ前記電子ビームの進行方向と垂直である方向における前記電子ビームの最外部の加速度のうち、前記電子ビームの中心軸に対して垂直であり、かつ前記電子ビームの中心軸に向かう加速度成分の極大値をＡｙとした場合に以下の式を満たす。
【００２１】
前記電子ビームの電流が０．１ｍＡ以下の場合には、
Ａｙ＞０、Ａｘ＞０、Ａｙ／Ａｘ＜１．０
であり、
前記電子ビームの電流が２ｍＡ以上の場合には、
Ａｙ＞０、Ａｘ＞０、０．９＜Ａｙ／Ａｘ
である。
【００２２】
また、本発明のカラー陰極線管は、上記本発明の電子銃を備えたことを特徴とする。
【発明の効果】
【００２３】
電子ビームが高電流域の場合にはスポット径を縮小し、かつ電子ビームが低電流域の場合にはモアレを抑制し得る陰極線管用電子銃およびそれを備えたカラー陰極線管を提供することができる。
【発明を実施するための最良の形態】
【００２４】
本発明の第１の陰極線管用電子銃は、上述のように、電子ビームの軌道を制御する。それにより、電子ビームが高電流域の場合にはスポット径を縮小し、かつ電子ビームが低電流域の場合にはモアレを抑制することができる。
【００２５】
また、本発明の第２の陰極線管用電子銃は、前記第２電極の電子ビーム通過孔の前記第３電極側近傍において、電子ビームは上述の集束作用を受ける。そのため、電子ビームが高電流域の場合には電子ビームのスポット径を縮小し、かつ電子ビームが低電流域の場合にはモアレを抑制することができる。
【００２６】
また、本発明の第１および第２の陰極線管用電子銃において、好ましくは、前記第１電極には、インライン方向と垂直な辺および平行な辺を有する略矩形状である電子ビーム通過孔が形成され、前記第２電極の電子ビーム通過孔は略円形状であり、前記第２電極の前記第３電極側の面には、前記第２電極の電子ビーム通過孔の周囲に、インライン方向と垂直な辺および平行な辺を有し、インライン方向と垂直な辺がインライン方向と平行な辺よりも長い略矩形状の溝である凹部が形成されている。それにより、電子ビームが高電流域の場合には電子ビームのスポット径を縮小し、かつ電子ビームが低電流域の場合にはモアレを抑制することができる。
【００２７】
また、本発明の第１および第２の陰極線管用電子銃において、好ましくは、前記第１電極の電子ビーム通過孔のインライン方向の径をｈ1とし、前記第１電極の電子ビーム通過孔のインライン方向と垂直方向の径をｖ1とし、前記第２電極の電子ビーム通過孔の孔径をｒ2とし、前記第２電極の凹部の深さをｔ23とし、前記第２電極の凹部のインライン方向の径をｈ23とし、前記第１電極と前記第２電極との相対する面同士の間隔をｇ12とし、前記第２電極と前記第３電極との相対する面同士の間隔をｇ23とした場合に、以下の式を満たす。
【００２８】
１．０＜ｈ1／ｖ1＜１．５
０．２＜ｇ12／ｒ2＜０．４
０．１＜（ｈ23−ｒ2）／ｔ23＜５
０．９＜ｇ23／ｒ2＜１．８
それにより、電子ビームに上述の加速度を供給することができ、電子ビームが高電流域の場合には電子ビームのスポット径を縮小し、かつ電子ビームが低電流域の場合にはモアレを抑制することができる。
【００２９】
また、本発明の第１および第２の陰極線管用電子銃において、好ましくは、前記第１電極の前記第２電極側の面には、前記第１電極の電子ビーム通過孔の周囲に、インライン方向と垂直な辺および平行な辺を有し、インライン方向と垂直な辺がインライン方向と平行な辺よりも長い略矩形状の溝である凹部が形成されている。それにより、電子ビームに上述の加速度を供給することができ、電子ビームが高電流域の場合には電子ビームのスポット径を縮小し、かつ電子ビームが低電流域の場合にはモアレを抑制することができる。
【００３０】
また、本発明の第１および第２の陰極線管用電子銃において、好ましくは、前記第１電極の凹部のインライン方向の径をｈ12とし、前記第１電極の凹部のインライン方向と垂直方向の径をｖ12とした場合に、以下の式を満たす。
【００３１】
０.１（ｍｍ）＜（ｈ12−ｈ1）（ｍｍ）＜１．５（ｍｍ）
０.１（ｍｍ）＜（ｖ12−ｖ1）（ｍｍ）＜１．５（ｍｍ）
それにより、電子ビームに上述の加速度を供給することができ、電子ビームが高電流域の場合には電子ビームのスポット径を縮小し、かつ電子ビームが低電流域の場合にはモアレを抑制することができる。
【００３２】
また、本発明の第１および第２の陰極線管用電子銃において、好ましくは、前記第３電極には略円形状である電子ビーム通過孔が形成され、前記第３電極の前記第２電極側の面には、前記第３電極の電子ビーム通過孔の周囲に、インライン方向と垂直な辺および平行な辺を有し、インライン方向と垂直な辺がインライン方向と平行な辺よりも長い略矩形状の溝である凹部とが形成されていて、前記第３電極の電子ビーム通過孔の孔径をｒ3とし、前記第３電極の凹部の深さをｔ32とし、前記第３電極の凹部のインライン方向の径をｈ32とした場合に、以下の式を満たす。
【００３３】
１．０＜ｒ3／ｒ2＜２．０
（ｈ32−ｒ3）／ｔ32＜４．０
それにより、電子ビームが高電流域の場合には電子ビームのスポット径を縮小し、かつ電子ビームが低電流域の場合にはモアレを抑制することができる。
【００３４】
また、本発明のカラー陰極線管は、本発明の陰極線管用電子銃を備えているので、高画質を実現できる。
【００３５】
以下、本発明の実施形態のさらに具体的な例について図を用いて説明する。
【００３６】
本発明の実施の形態に係る陰極線管用電子銃およびそれを備えたカラー陰極線管について図を用いて説明する。図１は本発明に係る陰極線管用電子銃が搭載される本実施の形態に係るカラー陰極線管の断面図である。なお、図１において、Ｘ軸方向は水平方向であり、Ｙ軸方向は垂直方向であり、Ｚ軸方向は管軸方向である。図１に示した陰極線管１０は、セルフコンバージェンス方式のインライン型カラー陰極線管である。図１に示すように陰極線管１０は、パネル１、ネック５およびこれらに一体に接合された漏斗状のファンネル２からなる外囲器３０を有している。パネル１は、その内面に、青、緑、赤に発光するストライプ状またはドット状の３色蛍光体層からなる蛍光体スクリーン４が設置されている。シャドウマスク３は、その内側に多数の電子ビーム通過孔を有し、蛍光体スクリーン４に対向して、外囲器３０内に配置されている。ネック５の内部には、陰極線管用電子銃である、インライン型電子銃（構体）６が設置されている。この電子銃６は電子ビーム７を放出する。電子ビーム７は、センタービーム７ｇと、一対のサイドビーム７ｂおよび７ｒとを有していて、これらは同一水平面上を通り、一直線に配置されている。偏向ヨーク８は、ファンネル２の径大部からネック５までの間の外周に設置されている。
【００３７】
この偏向ヨーク８は、電子銃６から放出された電子ビーム７を水平方向（Ｘ軸方向）および垂直方向（Ｙ軸方向）に偏向するための非斉一な偏向磁界を発生する。この非斉一な偏向磁界は、ピンクッション型の水平偏向磁界およびバレル型の垂直偏向磁界によって形成される。電子銃６から放出された電子ビーム７は、偏向ヨーク８が発生する非斉一な偏向磁界によって偏向され、シャドウマスク３を介して蛍光体スクリーン４を水平方向および垂直方向に走査する。これによりパネル１にカラー画像が表示される。
【００３８】
図２を加えて、本実施の形態の電子銃６について説明する。図２は、本発明の実施の形態に係る電子銃の構成を示す断面図である。なお、図２において、Ｘ軸方向は水平方向であり、Ｙ軸方向は垂直方向であり、Ｚ軸方向は管軸方向である。つまり、図２は、Ｚ軸より下に垂直断面図を、Ｚ軸より上に水平断面図を示している。また、図２において、カソード１１は、３つ並んだ内の真中に配置されるカソード１１のみを示している。電子ビームの進行方向を表す中心軸９は、Ｚ軸（管軸）と等しくなる。
【００３９】
本実施の形態の電子銃６はインライン状に配列された３電子銃方式の電子銃であって、図２に示しているように、カソード１１、第１電極１２、第２電極１３、第３電極１４が、Ｚ軸方向に沿って、順次並んで配置されている。なお、図示されていないが、カソード１１は、水平方向（インライン方向）にＲＧＢが配列されている。カソード１１、第１電極１２および第２電極１３は、３極部２１を構成している。また、第３電極１４は主レンズ部の一部である。
【００４０】
さらに、図３〜図８を加えて、第１電極１２、第２電極１３および第３電極１４について説明する。図３は第１電極１２の構成を示す正面図であり、図４は第１電極１２の構成を示す斜視図である。図５は第２電極１３の構成を示す正面図であり、図６は第２電極１３の構成を示す斜視図である。図７は第３電極１４の構成を示す正面図であり、図８は第３電極１４の構成を示す斜視図である。なお、図４、図６および図８は、それぞれ、第１電極１２、第２電極１３および第３電極１４の中央の電子ビーム通過孔付近のみを示している。
【００４１】
図３および図４に示しているように、第１電極１２はインライン方向に並んだ３つの、垂直方向より水平方向の方が長い略矩形状の電子ビーム通過孔１５を備えている。なお、電子ビーム通過孔１５の各辺は直線であることが望ましい。また、電子ビーム通過孔１５の各隅は直角であってもよいが、図３および図４に示しているように丸みを帯びていてもよい。また、各隅が多角形の一部により構成されていてもよい。第１電極１２の第２電極１３側の面には各電子ビーム通過孔１５の周囲に略矩形状の溝である凹部１６がそれぞれ形成されている。この凹部１６は、水平方向と垂直方向に辺を有し、水平方向より垂直方向の方が長い略矩形状である。なお、凹部１６の長辺は直線であることが望ましいが、短辺は直線でなくてもよい。また、凹部１６の各隅は直角であってもよいが、図３および図４に示しているように丸みを帯びていてもよい。また、各隅が多角形の一部により構成されていてもよい。
【００４２】
また、図５および図６に示しているように、第２電極１３はインライン方向に並んだ３つの略円形状の電子ビーム通過孔１７を備えている。第２電極１２の第３電極１４側の面には各電子ビーム通過孔１７の周囲に略矩形状の溝である凹部１８がそれぞれ形成されている。この凹部１８は、水平方向と垂直方向に辺を有し、水平方向より垂直方向の方が長い略矩形状である。なお、凹部１８の長辺は直線であることが望ましいが、短辺は直線でなくてもよい。また、凹部１８の各隅は直角であってもよいが、図５および図６に示しているように丸みを帯びていてもよい。また、各隅が多角形の一部により構成されていてもよい。
【００４３】
また、図７および図８に示しているように、第３電極１４はインライン方向に並んだ３つの略円形状の電子ビーム通過孔１９を備えている。第３電極１４の第２電極１３側の面には各電子ビーム通過孔１９の周囲に略矩形状の溝である凹部２０がそれぞれ形成されている。この凹部２０は、水平方向と垂直方向に辺を有し、水平方向より垂直方向の方が長い略矩形状である。なお、凹部２０の長辺は直線であることが望ましいが、短辺は直線でなくてもよい。また、凹部２０の各隅は直角であってもよいが、図７および図８に示しているように丸みを帯びていてもよい。また、各隅が多角形の一部により構成されていてもよい。
【００４４】
以上の構成の電子銃６において、３極部２１より出射された各電子ビーム７（７ｒ、７ｇ、７ｂ）の電流が０．１ｍＡ以下（低電流域）の場合には、第２電極１３の電子ビーム通過孔１７の第３電極１４側近傍（凹部１８付近）において、インライン方向と垂直であり、かつ電子ビーム７の進行方向（中心軸９方向）と垂直である方向、すなわちＹ軸方向における電子ビームの最外部が受ける最大の集束作用は、インライン方向、すなわちＸ軸方向における電子ビームの最外部が受ける最大の集束作用よりも実質的に弱くなる。
【００４５】
また、電子銃６において、３極部２１より出射された各電子ビーム７の電流が２ｍＡ以上（高電流域）の場合には、第２電極１３の電子ビーム通過孔１７の第３電極１４側近傍（凹部１８付近）において、インライン方向、すなわちＸ軸方向における各電子ビーム７の最外部が受ける最大の集束作用と、インライン方向と垂直であり、かつ各電子ビーム７の進行方向（中心軸９方向）と垂直である方向、すなわちＹ軸方向における各電子ビーム７の最外部が受ける最大の集束作用とが実質的に同等となる。好ましくは、Ｘ軸方向における各電子ビーム７の最外部が受ける最大の集束作用の大きさにより、Ｙ軸方向における各電子ビーム７の最外部が受ける最大の集束作用の大きさを除した値は、０．９よりも大きく、１．１よりも小さい。
【００４６】
また、第２電極１３の電子ビーム通過孔１７の第３電極１４側近傍（凹部１８付近）とは、電子ビーム通過孔１７中および、第２電極１３および第３電極１４間における、電子ビーム７が通過し得る範囲をいう。
【００４７】
これにより、各電子ビーム７が低電流の場合には、電子ビーム通過孔１７の第３電極１４側近傍で、Ｙ軸方向の集束作用がＸ軸方向の集束作用に比べて実質的に弱いため、電子ビーム７のＸ軸方向の集束がＹ軸方向の集束に比べて大きい。そのため、電子ビーム７の蛍光体スクリーン４におけるスポットの垂直径が過小となることがなく、陰極線管１０においてモアレが生じることがない。また、各電子ビーム７が高電流の場合には、電子ビーム通過孔１７の第３電極１４側近傍で、Ｙ軸方向の集束作用とＸ軸方向の集束作用とが実質的に同等であるため、電子ビーム７の蛍光体スクリーン４におけるスポット径が大きくなりすぎることがない。そのため、陰極線管１０の解像度が劣化することがない。したがって、本実施の形態の電子銃６を搭載した陰極線管１０は、高画像を実現できる。
【００４８】
次に、電子ビーム７の最外部における中心軸９へと向かう加速度を用いて、電子ビーム７の低電流域と高電流域とにおける、上記集束作用を実現するための条件を示す。図９は本実施の形態に係る電子銃における低電流域のＺ軸方向の位置と、電子ビーム７の垂直方向（Ｙ軸方向）の最外部における加速度および電子ビーム７の水平方向（Ｘ軸方向）の最外部における加速度との関係図である。また、図１０は本実施の形態に係る電子銃における高電流域のＺ軸方向の位置と、電子ビーム７の垂直方向（Ｙ軸方向）の最外部における加速度および電子ビーム７の水平方向（Ｘ軸方向）の最外部における加速度との関係図である。図９および図１０において実線は垂直方向の最外部における加速度であり、破線は水平方向の最外部における加速度である。また、図９および図１０において、範囲３１は第１電極１２の設置範囲を示し、範囲３２は第２電極１３の設置範囲を示し、範囲３３は第３電極１４の設置範囲を示している（図２参照）。
【００４９】
図９および図１０において加速度は、水平方向または垂直方向に中心軸９に向かう方向を正とする。第２電極１３の電子ビーム通過孔１７の第３電極１４側の凹部１８付近において、インライン方向すなわちＸ軸方向と垂直であり、かつ電子ビームの進行方向（Ｚ軸方向）と垂直である方向、すなわちＹ軸方向における電子ビーム７の最外部の加速度のうち、中心軸９に対して垂直であり、かつ中心軸９に向かう加速度成分は最大値をとる。この加速度成分の最大値の値を加速度Ａｙとする。
【００５０】
また、第２電極１３の電子ビーム通過孔１７の第３電極１４側の凹部１８付近において、インライン方向すなわちＸ軸方向における電子ビーム７の最外部の加速度のうち、中心軸９に対して垂直であり、かつ中心軸９に向かう加速度成分は最大値をとる。この加速度成分の最大値の値を加速度Ａｘとする。このとき、図９および図１０に示されているように、以下の関係が成り立つことが好ましい。
【００５１】
すなわち、電子ビーム７の電流が略０．１ｍＡ以下の低電流域（図９）では、
Ａｙ＞０、Ａｘ＞０、Ａｙ／Ａｘ＜１．０
の関係が成り立ち、
電子ビーム７の電流が略２ｍＡ以上の高電流域（図１０）では、
Ａｙ＞０、Ａｘ＞０、０．９＜Ａｙ／Ａｘ
の関係が成り立つことが好ましい。これらの関係が成り立つ場合に、電子ビーム７が０．１ｍＡ以下（低電流域）の場合には、第２電極１３の電子ビーム通過孔１７の第３電極１４側近傍において、インライン方向と垂直であり、かつ電子ビーム７の進行方向と垂直である方向、すなわちＹ軸方向における電子ビームの最外部が受ける集束作用は、インライン方向、すなわちＸ軸方向における電子ビームの最外部が受ける集束作用よりも実質的に弱くなる。また、電子銃６において、電子ビーム７が２ｍＡ以上（高電流域）の場合には、第２電極１３の電子ビーム通過孔１７の第３電極１４側近傍において、インライン方向、すなわちＸ軸方向における各電子ビーム７の最外部が受ける集束作用と、インライン方向と垂直であり、かつ各電子ビーム７の進行方向と垂直である方向、すなわちＹ軸方向における各電子ビーム７の最外部が受ける集束作用とが実質的に同等となる。
【００５２】
これにより、高電流域における電子ビームのスポット径を縮小し、かつ低電流域におけるモアレの抑制を効率よく達成することができる。したがって、本実施の形態の電子銃６を搭載した、本実施の形態の陰極線管１０において、低輝度画像から高輝度画像まで、高画質および高解像度を実現できる。
【００５３】
本実施の形態の電子銃６における各部材の構成および各寸法の好ましい値について、以下に説明する。このような構成とすることで、図９および図１０で示した上述の加速度を実現することができる。ここで、図２〜図８に示しているように、第１電極１２の電子ビーム通過孔１５の水平方向の径をｈ1とし、電子ビーム通過孔１５の垂直方向の径をｖ1とする。また、第２電極１３の電子ビーム通過孔１７の孔径をｒ2とし、第２電極１３の凹部１８の深さをｔ23とし、凹部１８の水平方向径をｈ23とする。また、第３電極１４の凹部２０の水平方向径をｈ32とし、凹部２０の深さをｔ32とし、第３電極の電子ビーム通過孔１９の孔径をｒ3とする。また、第１電極１２と第２電極１３との相対する面の間隔をｇ12とし、第２電極１３と第３電極１４との相対する面の間隔をｇ23とする。
【００５４】
上述のように、第１電極１２の電子ビーム通過孔１５を垂直方向より水平方向の方が長い矩形状とすることで、低電流域における垂直方向のクロスオーバーを水平方向のクロスオーバーの位置よりもカソード１１側に形成することができる。また、このように、第１電極１２の電子ビーム通過孔１５を垂直方向より水平方向の方が長い矩形状としただけでは、高電流域でスポット径を縮小すると、低電流域で第２電極１３の電子ビーム通過孔１７の第３電極１４側近傍において垂直方向が水平方向よりも弱い集束を受けるように調整することはできない。そこで、上述のように、第２電極１３の第３電極１４側の面に電子ビーム通過孔１７の周囲に水平方向より垂直方向の方が長い矩形状の溝である凹部１８を形成することが好ましい。それにより、電子ビーム７が低電流域の場合には第２電極１３の電子ビーム通過孔１７の第３電極１４側近傍において、垂直方向における集束作用が、水平方向における集束作用よりも実質的に弱くなる。また、低電流域に比べて高電流域の場合には、クロスオーバー位置が第３電極１４側に移動するため、凹部１８の影響は受けにくい。つまり、電子ビーム通過孔１７の第３電極１４側近傍で、垂直方向の集束作用と水平方向の集束作用とが実質的に同等になる。
【００５５】
また、前述した凹部１８による効果が強すぎると高電流域の電子ビーム７の垂直方向の発散角が大きくなり過ぎ、偏向収差を強く受けて蛍光体スクリーン４周辺でのフォーカスを劣化させる。さらに、低電流域においては第２電極１３の第３電極１４側付近で、電子ビーム７が集束作用をほとんど受けないか、または、垂直方向に発散作用を受けることになる。つまり、加速度Ａｙ≒０またはＡｙ＜０となる。その結果、仮想物点位置は蛍光体スクリーン４側へ移動し、かつ仮想物点径も縮小し、結果としてモアレが発生しやすくなる。また、前述した凹部１８による効果が弱すぎると、高電流域の電子ビーム７のスポット径縮小と低電流域のモアレ抑制が達成されない。
【００５６】
（ｈ23−ｒ2）／ｔ23＜０．１の場合は、前述の凹部１８による効果が強過ぎ、
（ｈ23−ｒ2）／ｔ23＞５の場合には凹部１８による効果が弱すぎる。つまり、
０．１＜（ｈ23−ｒ2）／ｔ23＜５の条件を満たすことで、好ましい効果を得ることができる。
【００５７】
このように、
１．０＜ｈ1／ｖ1＜１．５
０．１＜（ｈ23−ｒ2）／ｔ23＜５
の条件を満たすことで、上述した加速度Ａｘと加速度Ａｙの関係が成り立つ。さらに、以下の式を満たすとなお好ましい。
【００５８】
０．２＜ｇ12／ｒ2＜０．４
０．９＜ｇ23／ｒ2＜１．８
各部材の寸法をこのように設定することで、電子銃６において、上述した加速度Ａｘと加速度Ａｙの関係が成り立つ。すなわち、電子ビーム７の電流が低電流域の場合には、
Ａｙ＞０、Ａｘ＞０、Ａｙ／Ａｘ＜１．０
の関係が成り立ち、
電子ビーム７の電流が高電流域の場合には、
Ａｙ＞０、Ａｘ＞０、０．９＜Ａｙ／Ａｘ
の関係が成り立つ。
【００５９】
さらに、上記条件式
１．０＜ｈ1／ｖ1＜１．５
０．２＜ｇ12／ｒ2＜０．４
０．１＜（ｈ23−ｒ2）／ｔ23＜５
０．９＜ｇ23／ｒ2＜１．８
に加えて、第３電極１４には略円形状である電子ビーム通過孔１９が形成され、第３電極１４の第２電極１３側の面には、電子ビーム通過孔１９の周囲に、水平方向と垂直方向に辺を有し、水平方向より垂直方向の方が長い略矩形状である凹部２０が形成されていることが好ましい。また、各寸法が、以下の条件を満たすことが好ましい。
【００６０】
１．０＜ｒ3／ｒ2＜２．０
（ｈ32−ｒ3）／ｔ32＜４．０
これにより、高電流域における電子ビームのスポット径を縮小し、かつ低電流域におけるモアレの抑制を効率よく達成することができる。したがって、本実施の形態の電子銃６を搭載した、本実施の形態の陰極線管１０において、低輝度画像から高輝度画像まで、高画質および高解像度を実現できる。
【００６１】
また、第１電極１２の電子ビーム通過孔１５は、垂直方向より水平方向の方が長い矩形状であることに加えて、第１電極１２の第２電極１３側の面には電子ビーム通過孔１５の周囲に水平方向より垂直方向の方が長い矩形状の溝である凹部１６が形成されていることが好ましい。それにより、電子ビーム７のクロスオーバー位置を適正に調整することができる。この凹部１６の水平方向径をｈ12とし、垂直方向径をｖ12とした場合に、各寸法が以下の条件を満たすことが好ましい。
【００６２】
０.１（ｍｍ）＜（ｈ12−ｈ1）（ｍｍ）＜１．５（ｍｍ）
０.１（ｍｍ）＜（ｖ12−ｖ1）（ｍｍ）＜１．５（ｍｍ）
以上に示した構造となるように、本実施の形態の電子銃を設計し、その特性をシミュレーションにより求めた。シミュレーションには、電界および荷電粒子用の解析ソフト（例えば、Ｖｅｃｔｏｒ  Ｆｉｅｌｄｓ社製「ＳＣＡＬＡ」等）を用いればよい。それにより、電子銃の電界作用、すなわち電子の加速度を有限要素法または表面電荷法等の計算方法により求めることができる。なお、このシミュレーションでは、電子ビームの垂直方向および水平方向の内側に向かう加速度が最大となる電子、すなわち最外部の電子について評価している。図１１は、シミュレーションに用いた本実施の形態に係る電子銃６ａの構成を示す断面図である。図１１に示すように、第３電極１４ａは板状ではなく、さらに第４電極２５を備える構成とした。それ以外は、図２に示した電子銃６と同様の構成である。
【００６３】
それぞれの部品の各寸法は、以下のように規定した。
【００６４】
ｈ1／ｖ1≒１．２
ｇ12／ｒ2≒０．３３
（ｈ23−ｒ2）／ｔ23≒２．５
ｇ23／ｒ2≒１．４２
ｒ3／ｒ2≒１．２７
(ｈ32−ｒ3)／ｔ32≒０．２
以上は、上述した各部材寸法の関係を満たしている。
【００６５】
カソード１１の電圧は１０Ｖ程度から２５０Ｖ程度とした。なお、カソード電圧を下げることにより電子ビーム７の電流は増加する。第１電極１２には略０Ｖ、第２電極１３には３００Ｖ〜１０００Ｖ程度、第４電極２５には２０〜３５ｋＶ程度、第３電極１４ａには第４電極２５の２０〜３０％程度の電圧をそれぞれ印加した。第３電極１４ａの電圧は、カソード１１から出射する電子ビーム７の電流値が１〜４ｍＡ程度のときに、蛍光体スクリーン４上における電子ビーム７のフォーカス状態が最良となるように設定されている。
【００６６】
この電子銃６ａにおいて、第２電極１３の電子通過孔１５の第３電極１４ａ側の集束作用は水平方向が強く、垂直方向が弱くなった。したがって、第２電極１３および第３電極１４ａ間では電子ビーム７の径は水平方向より垂直方向の方が長くなる。さらに、第３電極１４ａの凹部２０は水平方向より垂直方向の方が長いため、電子ビーム７の径は垂直方向より水平方向の方が長くなり、垂直方向の電子ビーム７が受ける偏向ヨーク８による偏向収差は軽減するように構成されている。
【００６７】
以上のように構成された電子銃６ａを搭載した陰極線管は、低電流域におけるモアレの抑制と高電流における電子ビーム７のスポット径の縮小が可能である。
【００６８】
上述の電子銃６ａにおいて、主レンズ部は第３電極１４ａと第４電極２５からなるバイポテンシャル型の円筒レンズとしたが、例えば、電極孔を非対称とした非対称主レンズや３電子ビームが共通に通過する電極を有する重畳型の主レンズとしてもよい。例えば図１２に示す電子銃６ｃのような構造としてもよい。図１２は、本実施の形態の他の電子銃の構成を示す断面図である。図１２に示す電子銃６ｃにおいて、カソード１１、第１電極１２、第２電極１３および第３電極１４は、図２に示した電子銃６と同一の構造である。また、第３電極１４から、Ｚ軸方向にさらに、第４電極２５ａ、第５電極２６および第６電極２７を備えた構造である。また、第１電極１２は接地され、第２電極１３と第４電極２５ａには同一の電圧Ｖｇ２が印加され、第３電極１４と第５電極２６には同一の電圧Ｖｆが印加され、第６電極２７には電圧Ｖａが印加されている。電子銃６ｃは、具体的にはプリフォーカスレンズと主レンズとの間に予備集束レンズを設けた構造である。また、複数の電極からなる主レンズと組み合わせてもよい。各部材の各寸法を、上述した範囲とすることで、同様の効果が得られる。また、図２で示すように、第３電極１４の凹部２０は第２電極１３側としたが、図１２に示した電子銃のように、第３電極１４が板状でかつ予備集束レンズを持つ場合には、例えば凹部２０を第４電極２５ａ側に形成しても同様な効果を得ることができる。
【００６９】
なお、上記実施の形態の具体例は、あくまでも一例であり、上記構成等に限定されるわけではない。
【産業上の利用可能性】
【００７０】
本発明に係る陰極線管用電子銃は、低輝度画像から高輝度画像まで、高画質および高解像度を実現しうるカラー陰極線管に用いることができる。
【図面の簡単な説明】
【００７１】
【図１】本発明に係る陰極線管用電子銃が搭載される本実施の形態に係るカラー陰極線管の断面図
【図２】本発明の実施の形態に係る電子銃の構成を示す断面図
【図３】本実施の形態に係る第１電極の構成を示す正面図
【図４】本実施の形態に係る第１電極の構成を示す斜視図
【図５】本実施の形態に係る第２電極の構成を示す正面図
【図６】本実施の形態に係る第２電極の構成を示す斜視図
【図７】本実施の形態に係る第３電極の構成を示す正面図
【図８】本実施の形態に係る第３電極の構成を示す斜視図
【図９】本実施の形態に係る電子銃における低電流域のＺ軸方向の位置と、電子ビームの垂直方向の最外部における加速度および電子ビームの水平方向の最外部における加速度との関係図
【図１０】本実施の形態に係る電子銃における高電流域のＺ軸方向の位置と、電子ビームの垂直方向の最外部における加速度および電子ビームの水平方向の最外部における加速度との関係図
【図１１】測定に用いた本実施の形態に係る電子銃の構成を示す断面図
【図１２】本実施の形態の他の電子銃の構成を示す断面図
【図１３】従来の電子銃の断面図
【図１４】従来の電子銃の各電極と電子ビームの関係を示すための第１の模式図
【図１５】従来の電子銃の各電極と電子ビームの関係を示すための第２の模式図
【図１６】従来の陰極線管による電子ビームが低電流の場合のフォーカス電圧と蛍光体スクリーンでの電子ビームの垂直径との関係を示す第１の関係図
【図１７】従来の陰極線管による電子ビームが低電流の場合のフォーカス電圧と蛍光体スクリーンでの電子ビームの垂直径との関係を示す第２の関係図
【符号の説明】
【００７２】
１  パネル
２  ファンネル
３  シャドウマスク
４  蛍光体スクリーン
５  ネック
６  電子銃
７  電子ビーム
７ｇ  センタービーム
７ｂ、７ｒ  サイドビーム
８  偏向ヨーク
９  中心軸
１０  陰極線管
１１  カソード
１２  第１電極
１３  第２電極
１４、１４ａ  第３電極
１５、１７、１９  電子ビーム通過孔
１６、１８、２０  凹部
２５、２５ａ  第４電極
２６  第５電極
２７  第６電極
３０  外囲器
６０、６０ａ、６０ｂ  電子銃
６１  カソード
６２  第１電極
６３  第２電極
６４  第３電極
６５  第４電極
６６  プリフォーカスレンズ
６６ａ  集束レンズ
６６ｂ  発散レンズ
６７ａ、６７ｂ、６８ａ、６８ｂ  電子ビーム
６９  中心軸
【図１】
2006049285.tif 000003
【図２】
2006049285.tif 000004
【図３】
2006049285.tif 000005
【図４】
2006049285.tif 000006
【図５】
2006049285.tif 000007
【図６】
2006049285.tif 000008
【図７】
2006049285.tif 000009
【図８】
2006049285.tif 000010
【図９】
2006049285.tif 000011
【図１０】
2006049285.tif 000012
【図１１】
2006049285.tif 000013
【図１２】
2006049285.tif 000014
【図１３】
2006049285.tif 000015
【図１４】
2006049285.tif 000016
【図１５】
2006049285.tif 000017
【図１６】
2006049285.tif 000018
【図１７】
2006049285.tif 000019